(57)【要約】【課題】トラックの荷台スペースに、多サイズの壁パネルを効率的に積載でき、かつ、個々の壁パネルを安定的に保持できる壁パネル運搬用ラックを提供する。【解決手段】本発明の壁パネル運搬用ラック１は、一対の長辺材２１と複数本の枕材２２とを梯子状に連結してなるベッド部２と、ベッド部２の上方に解体可能に組み立てられるフレーム部３とからなる。フレーム部３は、ベッド部２の長辺材２１に立設される複数本の支柱３１と、支柱３１間に架設される長辺方向及び短辺方向の横枠材３２、３３とを備え、短辺方向の横枠材３３に対して、長辺方向の横枠材３２と平行する仕切材４１が、長辺方向の横枠材３２との間隔を任意に変更しうるように取着される。【選択図】図２
2005132449.tif 000002
【特許請求の範囲】
【請求項１】
トラックの荷台上に載置可能なベッド部と、ベッド部の上方に解体可能に組み立てられるフレーム部とからなり、
ベッド部は、平行に配置される一対の長辺材と、長辺材に直交する複数本の枕材とが梯子状に連結され、上記枕材に対して、長辺材と平行するズレ止め材が、長辺材との間隔を任意に変更しうるように取着されてなり、
フレーム部は、上記長辺材の端部を含む複数箇所に立設される少なくとも４本以上の支柱と、上記支柱の上部近傍をベッド部の長辺方向及び短辺方向にそれぞれ連結する複数本の横枠材とを備え、上記短辺方向の横枠材に対して、上記長辺方向の横枠材と平行する仕切材が、長辺方向の横枠材との間隔を任意に変更しうるように取着されてなることを特徴とする壁パネル運搬用ラック。
【請求項２】
支柱と横枠材との連結は、横枠材の端部に設けた下向きの係合突部を、支柱の側面に設けた挿込部に嵌挿することによってなされることを特徴とする請求項１に記載の壁パネル運搬用ラック。
【請求項３】
長辺材と支柱との連結は、支柱をパイプ状となし、長辺材の上面に突設した上向きの連結パイプに支柱の下端部を嵌装することによってなされることを特徴とする請求項１に記載の壁パネル運搬用ラック。
【請求項４】
仕切材と短辺方向の横枠材との連結は、仕切材の端部に設けたクランプで短辺方向の横枠材を挟持することによってなされることを特徴とする請求項１に記載の壁パネル運搬用ラック。
【請求項５】
長辺方向の横枠材または仕切材における任意の位置に、短辺方向に突出する片持ち式の腕木材が取着されたことを特徴とする請求項１記載の壁パネル運搬用ラック。
【請求項６】
腕木材と長辺方向の横枠材または仕切材との連結は、腕木材の端部に設けたクランプで長辺方向の横枠材または仕切材を挟持することによってなされることを特徴とする請求項５に記載の壁パネル運搬用ラック。
【請求項７】
隣接する支柱間に補強用の斜材が取着されたことを特徴とする請求項１に記載の壁パネル運搬用ラック。
【請求項８】
支柱と斜材との連結は、斜材の端部に設けた下向きの係止具を、支柱の側面に設けた挿込部に嵌挿することによってなされることを特徴とする請求項７に記載の壁パネル運搬用ラック。
【発明の詳細な説明】
【技術分野】
【０００１】
本発明は、プレファブ住宅の外壁等に用いられる大型の壁パネルをトラックに積載して運搬するための壁パネル運搬用ラックに関する。
【背景技術】
【０００２】
工場で組み立てた壁パネルを施工現場まで運搬するためのラックとして、本出願人は、
特許文献１記載のような、壁パネルを横に寝かせて積載するラックを提案している。
【０００３】
また、特許文献２には、壁パネルを立てかけた状態で運搬するラック（荷台）が提案されている。
【特許文献１】特開平６−１３５４４２号公報
【特許文献２】特開平５−１４７４６６号公報
【発明の開示】
【発明が解決しようとする課題】
【０００４】
近年では、プレファブ建築の工業化が進展して、壁パネルの製作寸法も一律ではなく、きめ細かい多種類の寸法で製作される傾向にある。また、予め工場でドアやサッシまで組み付けられるようになって、寸法や重量が増すとともに、厚みも多様化しつつある。
【０００５】
このような事情に鑑みると、上記特許文献１記載のような横積み式のラックは、多種類の寸法の壁パネルを効率よく積載するのに不便であり、さらに、トラックの荷台の大きさに合わせて壁パネルの外形寸法が制限されるという不都合もある。
【０００６】
また、上記特許文献２記載のようなラックも、寸法や厚みの異なる多種類の壁パネルを効率よく積載できるようには工夫されておらず、個々の壁パネルの間隔を適正に保持して固定できるようにもなっていないので、運搬時の振動で壁パネル同士が接触して損傷するおそれがある。
【０００７】
そこで本発明は、トラックの限られた荷台スペース内に、寸法や厚みが多種類にわたる複数枚の壁パネルを効率的に積載することができ、かつ、個々の壁パネルを揺れないように安定的に保持することができるように構成された壁パネル運搬用ラックを提供するものである。
【課題を解決するための手段】
【０００８】
上記目的を達成するため、本発明の壁パネル運搬用ラックは、トラックの荷台上に載置可能なベッド部と、ベッド部の上方に解体可能に組み立てられるフレーム部とからなるものとして構成される。
【０００９】
ベッド部は、平行に配置される一対の長辺材と、長辺材に直交する複数本の枕材とが梯子状に連結され、上記枕材に対して、長辺材と平行するズレ止め材が、長辺材との間隔を任意に変更しうるように取着される。
【００１０】
フレーム部は、上記長辺材の端部を含む複数箇所に立設される少なくとも４本以上の支柱と、上記支柱の上部近傍をベッド部の長辺方向及び短辺方向にそれぞれ連結する複数本の横枠材とを備え、上記短辺方向の横枠材に対して、上記長辺方向の横枠材と平行する仕切材が、長辺方向の横枠材との間隔を任意に変更しうるように取着される。
【００１１】
すなわち、この壁パネル運搬用ラックは、ベッド部の上に略箱型のフレーム部を組み上げて、フレーム部の内側に壁パネルを立てかけて並べるように構成されたもので、ベッド部の枕材に対して取り付けるズレ止め材と、フレーム部の横枠材に対して取り付ける仕切材を、任意の位置に平行移動させることにより、フレーム部の内側を壁パネルの寸法や厚みに合わせて自由に分割できるようになっている。これにより、トラックの限られた荷台スペース上で、寸法や厚みが多種類にわたる複数枚の壁パネルを効率的に積載することが可能になり、かつ、個々の壁パネルを揺れないように安定的に保持することができる。
【００１２】
さらに本発明の壁パネル運搬用ラックは、フレーム部の組み立て及び解体を容易にするため、各部材の連結構造において以下のような構成を採用する。
【００１３】
すなわち、支柱と横枠材との連結は、横枠材の端部に設けた下向きの係合突部を、支柱の側面に設けた挿込部に嵌挿することによってなされるものとする。
【００１４】
また、長辺材と支柱との連結は、支柱をパイプ状となし、長辺材の上面に突設した上向きの連結パイプに支柱の下端部を嵌装することによってなされるものとする。
【００１５】
また、仕切材と短辺方向の横枠材との連結は、仕切材の端部に設けたクランプで短辺方向の横枠材を挟持することによってなされるものとする。
【００１６】
さらに本発明の壁パネル運搬用ラックにおいては、長辺方向の横枠材または仕切材における任意の位置に、短辺方向に突出する片持ち式の腕木材が取着されてもよい。これによると、壁パネルをベッド部の長辺方向にも安定的に固定することができる。腕木材と長辺方向の横枠材または仕切材との連結は、腕木材の端部に設けたクランプで長辺方向の横枠材または仕切材を挟持することによってなされるのが好ましい。
【００１７】
さらに本発明の壁パネル運搬用ラックにおいては、隣接する支柱間に補強用の斜材が取着されてもよい。これにより、フレーム部の強度が向上し、大型の壁パネルを積載する場合でも安定性が増す。支柱と斜材との連結は、斜材の端部に設けた下向きの係止具を、支柱の側面に設けた挿込部に嵌挿することによってなされるのが好ましい。
【発明の効果】
【００１８】
上述のように構成される本発明の壁パネル運搬用ラックによれば、ベッド部をトラックの荷台の長さに合わせて形成し、その上にフレーム部を組み上げて、フレーム部の内側を任意に仕切ることにより、限られた荷台スペースに寸法や厚みの異なる多種類の壁パネルを効率的に、かつ安定的に積載することができる。また、フレーム部を仕切ることによって、個々の壁パネルを互いに接触しないように保持することができるので、運搬時の振動や衝撃で壁パネルが損傷するのも防止することができる。
【００１９】
さらに本発明の壁パネル運搬用ラックは、各部材を容易に連結・解体できるように構成されるので、壁パネルを施工現場まで運搬した後にフレーム部を解体すれば、トラックの返送時における運送効率も向上する。
【発明を実施するための最良の形態】
【００２０】
以下、本発明の実施形態について図を参照しつつ説明する。
【００２１】
図１は、壁パネル運搬用ラック１の使用状態を示す。この壁パネル運搬用ラック１は、トラックＴの荷台の長手方向に合わせて略梯子状のベッド部２を載置し、その上方に略箱状のフレーム部３を組み上げて、フレーム部３の内側に壁パネルＰを複数枚、並べることができるように構成されている。
【００２２】
図２は、壁パネル運搬用ラック１の基本構成を示す。ベッド部２は、平行に配置される一対の長辺材２１と、長辺材２１に直交する複数本の枕材２２とを、枕材２２を下側にして梯子状に連結したものである。長辺材２１及び枕材２２には適宜の断面寸法を有する角形鋼管が使用され、溶接、あるいはボルト・ナット締結等によって長辺材２１と枕材２２とが固定されている。
【００２３】
このベッド部２には、壁パネルＰの下縁部がずれないようにするため、長辺材２１と平行するズレ止め材２３が、隣接する２本の枕材２２にまたがるようにして取り付けられる。ズレ止め材２３は、例えば断面Ｌ字形のアングル材の両端部に、枕材２２の側面に係止可能な垂下片２４を設け、この垂下辺２４の一方に固定用の蝶ネジ（図示略）を取り付けるなどして形成される。これにより、ズレ止め材２３を、壁パネルＰの厚みに応じて長辺材２１との間隔を任意に変更しうるように取着することができる。このズレ止め材２３は、一台のベッド部２に任意の本数を取り付けることができる。
【００２４】
フレーム部３は、上記したベッド部２の長辺材２１上に立設される複数本の支柱３１と、支柱３１の上部近傍をベッド部２の長辺方向及び短辺方向にそれぞれ連結する複数本の横枠材３２、３３とを備えている。例示の形態では、支柱３１は、各長辺材２１の両端部と中央部の計６箇所に立設されているが、支柱３１の本数は、各長辺材２１の両端部４箇所以上であれば、ベッド部２の大きさに応じ適宜増減可能である。
【００２５】
図３は、フレーム部３の連結構造を示す。支柱３１は、例えば丸形鋼管あるいは角形鋼管等からなり、長辺材２１の上面に突設した連結パイプ２５に支柱３１の下端部が嵌装される。支柱３１及び連結パイプ２５には、嵌装時に一致する位置にボルト挿通穴が形成されて、側方からボルト・ナット締結することによって連結される。なお、図３中に符号３４で示した突片は、荷造ロープＲ（図１参照）を掛止するためのフックである。
【００２６】
横枠材３２、３３は、例えば丸形鋼管、あるいは角形鋼管等からなり、その両端部に楔状の係合突部３５が形成されている。一方、支柱３１の側面には、上記係合突部３５に合致する筒状の挿込部３６が、長辺方向及び短辺方向にそれぞれ突設されており、横枠材３２、３３の各係合突部３５を支柱３１の挿込部３６に上方から嵌挿することによって、各支柱３１と各横枠材３２、３３とが連結される。例示の形態では、横枠材３２、３３は、支柱３１の上端部近傍と中間部の２段に取り付けられているが、この段数も適宜増減可能である。
【００２７】
さらに例示の形態では、フレーム部３の補強のため、隣接する支柱３１間に斜材３７が取着されている。斜材３７は、図４に示すように、細い鋼管または鋼棒の両端部に係止具３８を設けた部材で、この係止具３８を支柱３１の空いている挿込部３６に嵌装することによって取り付けられる。
【００２８】
こうして、支柱３１と長辺方向及び短辺方向の横枠材３２、３３が枠組みされると、長辺方向の横枠材３２に平行する仕切材４１が、短辺方向の横枠材３３に対して取り付けられる。仕切材４１にも、例えば丸形鋼管や角形鋼管が利用される。仕切材４１の両端部にはクランプ４２が設けられており、このクランプ４２は、短辺方向の横枠材３３の任意の位置を挟持することができるようになっている。これにより、仕切材４１を、壁パネルＰの厚みに応じて長辺方向の横枠材３２との間隔を任意に変更しうるように取着することができる。
【００２９】
なお、長辺方向の横枠材３２や仕切材４１には、例示の形態のように、発泡性樹脂あるいは合成ゴム等からなる緩衝材４３を巻き付けておくのが好ましい。これにより、横枠材３２や仕切材４１と壁パネルＰとの接触によって壁パネルＰの仕上面に傷がつくのを防止することができる。
【００３０】
さらに、このフレーム部３には、長辺方向の横枠材３２または仕切材４１に対して、短辺方向に突出する短い腕木材４４を取着することができる。腕木材４４は、一端部にクランプ４５を有し、このクランプ４５で長辺方向の横枠材３２または仕切材４１の任意の位置を挟持することにより、片持ち状態で取り付けられる。この腕木材４４の位置を壁パネルＰの幅に合わせることにより、壁パネルＰをベッド部２の長辺方向、つまりトラックＴの進行方向に対しても安定的に固定することができる。
【００３１】
本発明の壁パネル運搬用ラック１は、上述のようにベッド部２の上に組み上げられるフレーム部３の内側を、ズレ止め材２３、仕切材４１、腕木材４４等によって任意に仕切ることができる。したがって、限られた荷台スペースに、寸法や厚みの異なる多種類の壁パネルＰを効率的に、かつ安定的に積載することができる。また、フレーム部３を仕切ることによって、個々の壁パネルＰを互いに接触しないように保持することができるので、運搬時の振動や衝撃で壁パネルＰが損傷するのも防止することができる。
【００３２】
さらに本発明の壁パネル運搬用ラック１は、フレーム部３を簡単に組み立てることができ、かつ解体もできるように構成されているので、壁パネルＰを施工現場まで運搬した後にフレーム部３を解体すれば、トラックＴの返送時における運送効率も向上する。
【００３３】
また、この壁パネル運搬用ラック１は、主要な部材が鋼製の管材や棒状材によって構成されているが、一般的な鋼製足場に用いられる丸形鋼管（単管）やクランプを流用すれば、きわめて安価に製作することができる。
【００３４】
また、この壁パネル運搬用ラック１は、ベッド部２が、枕材２２の上に長辺材２１を載せた形状になっているので、枕材２２の間にフォークリフトのフォークを挿し込めば、壁パネルＰを積載した状態でラックごと運搬することも可能である。さらに、支柱２１の頂部に係止環３９等を取り付ければ、クレーンでラックごと吊り上げることも可能になる。
【図面の簡単な説明】
【００３５】
【図１】本発明の実施形態に係る壁パネル運搬用ラックの使用状態を示す斜視図である。
【図２】本発明の実施形態に係る壁パネル運搬用ラックの基本構成を示す斜視図である。
【図３】上記壁パネル運搬用ラックにおけるフレーム部の連結構造を示す分解斜視図である。
【図４】上記壁パネル運搬用ラックにおける斜材の連結構造を示す部分斜視図である。
【符号の説明】
【００３６】
１    壁パネル運搬用ラック
２    ベッド部
２１  長辺材
２２  枕材
２３  ズレ止め材
２５  連結パイプ
３    フレーム部
３１  支柱
３２  長辺方向の横枠材
３３  短辺方向の横枠材
３５  係合突部
３６  挿込部
３７  斜材
３８  係止具
４１  仕切材
４２  クランプ
４４  腕木材
４５  クランプ
Ｐ    壁パネル
Ｔ    トラック
【図１】
2005132449.tif 000003
【図２】
2005132449.tif 000004
【図３】
2005132449.tif 000005
【図４】
2005132449.tif 000006